(57)【要約】【課題】異なるＰＯＮシステムと光回線検出システムとの共存の要求を満たすことができる波長分割多重フィルタを提供する。【解決手段】複数のフィルタを備え、下り方向には、第１のＰＯＮシステムにより出力された第１の光パルス信号と、第２のＰＯＮシステムにより出力された第２の光パルス信号または第２のＰＯＮシステムの出力信号とビデオ信号をカップリングした第２の光パルス信号と、光時間領域反射測定器からの第３の光パルス信号と、を受信して光分配ネットワークにカップリングし、上り方向には、第１の上り波長範囲の光パルス信号を第１のＰＯＮシステムに、第２の上り波長範囲の光パルス信号を第２のＰＯＮシステムに、第３の上り波長範囲の光信号を光時間領域反射測定器に送信するように、上り光パルス信号を波長帯に基づいて分岐する、波長分割多重フィルタ。【選択図】図１
2013504225.tif 000002
【特許請求の範囲】
【請求項１】
複数のフィルタを備え、
下り方向には、第１の受動光ネットワーク（ＰＯＮ）システムにより出力された第１の光パルス信号と、第２のＰＯＮシステムにより出力された第２の光パルス信号または第２のＰＯＮシステムの出力信号とビデオ信号をカップリングした第２の光パルス信号と、光時間領域反射測定器（ＯＴＤＲ）からの第３の光パルス信号と、を受信して光分配ネットワーク（ＯＤＮ）にカップリングし、
上り方向には、第１の上り波長範囲の光パルス信号を前記第１のＰＯＮシステムに、第２の上り波長範囲の光パルス信号を前記第２のＰＯＮシステムに、第３の上り波長範囲の光信号を前記ＯＴＤＲに送信するように、上り光パルス信号を波長帯に基づいて分岐することにより、
異なるＰＯＮシステムと光回線検出システムの波長分割多重化を実現する
ように配置されることを特徴とする波長分割多重フィルタ。
【請求項２】
前記第３の光パルス信号の波長は、１６２５ｎｍ以上であり、
さらに、前記ＯＤＮから送信された、前記第３の光パルス信号に対する波長１６２５ｎｍ以上の反射信号を、下り方向に受信するように配置されることを特徴とする請求項１に記載の波長分割多重フィルタ。
【請求項３】
波長１２９０ｎｍ〜１５００ｎｍの光を透過し、他の波長の光を反射する広帯域フィルタと、波長１６２５ｎｍ以上の光を透過し、当該波長未満の光を反射するサイドバンドフィルタと、により構成され、
前記広帯域フィルタは、透過インターフェースが前記第１のＰＯＮシステムの光回線端末（ＯＬＴ）に接続されるインターフェース、共通インターフェースが前記ＯＤＮの幹線光ファイバーに接続されるインターフェース、反射インターフェースが前記サイドバンドの共通インターフェースに接続されるものであり、
前記サイドバンドフィルタは、反射インターフェースが前記第２のＰＯＮシステムのＯＬＴに接続されるインターフェース、透過インターフェースが前記ＯＴＤＲに接続されるインターフェースである
ことを特徴とする請求項１に記載の波長分割多重フィルタ。
【請求項４】
前記サイドバンドフィルタの反射インターフェースは、
前記第２のＰＯＮシステムのＯＬＴにカップラーを介して接続され、
下り方向への、前記第２のＰＯＮシステムのＯＬＴの出力信号とビデオ信号をカップリングした光パルス信号が入力され、
上り方向への、光パルス信号を、前記第２のＰＯＮシステムのＯＬＴに出力する
ように配置されることを特徴とする請求項３に記載の波長分割多重フィルタ。
【請求項５】
波長１２９０ｎｍ〜１３６０ｎｍの光を全部透過させる第１の窓と、波長１４８０ｎｍ〜１５００ｎｍの光を全部透過させ、その他の波長の光の全部を反射する第２の窓とを有する２窓付きファイバーブラッググレーティング（ＦＢＧ）フィルタと、
波長１６２５ｎｍ以上の光を透過し、当該波長未満の光を反射するサイドバンドフィルタと、
により構成され、
前記ＦＢＧフィルタは、透過インターフェースが前記第１のＰＯＮシステムのＯＬＴに接続されるインターフェース、共通インターフェースが前記ＯＤＮの幹線光ファイバーに接続されるインターフェース、反射インターフェースが前記サイドバンドの共通インターフェースに接続されるものであり、
前記サイドバンドフィルタは、反射インターフェースが前記第２のＰＯＮシステムのＯＬＴに接続されるインターフェース、透過インターフェースが前記ＯＴＤＲに接続されるインターフェースである
ことを特徴とする請求項１に記載の波長分割多重フィルタ。
【請求項６】
前記サイドバンドフィルタの反射インターフェースは、
前記第２のＰＯＮシステムのＯＬＴにカップラーを介して接続され、
下り方向への、前記第２のＰＯＮシステムのＯＬＴの出力信号とビデオ信号をカップリングした光パルス信号が入力され、
上り方向への、光パルス信号を、前記第２のＰＯＮシステムのＯＬＴに出力する
ように配置されることを特徴とする請求項５に記載の波長分割多重フィルタ。
【請求項７】
波長１２９０ｎｍ〜１３６０ｎｍの光を透過し、その他の波長の光を反射する第１の広帯域フィルタおよび第２の広帯域フィルタと、
波長１４８０ｎｍ〜１５００ｎｍの光を透過し、その他の波長の光を反射する第３の広帯域フィルタと、
１６２５ｎｍ以上の光を透過し、当該波長未満の光を反射するサイドバンドフィルタと、
により構成され、
前記第１の広帯域フィルタは、共通インターフェースが前記ＯＤＮの幹線光ファイバーに接続されるインターフェースであり、透過インターフェースが前記第２の広帯域フィルタの透過インターフェースに接続され、反射インターフェースが前記第３の広帯域フィルタの共通インターフェースに接続され、
前記第２の広帯域フィルタは、共通インターフェースが前記第１のＰＯＮシステムのＯＬＴに接続されるインターフェースであり、反射インターフェースが前記第３の広帯域フィルタの透過インターフェースに接続され、
前記第３の広帯域フィルタは、反射インターフェースが前記サイドバンドフィルタの共通インターフェースに接続され、
前記サイドバンドフィルタは、反射インターフェースが前記第２のＰＯＮシステムのＯＬＴに接続されるインターフェース、透過インターフェースが前記ＯＴＤＲに接続されるインターフェースである
ことを特徴とする請求項１に記載の波長分割多重フィルタ。
【請求項８】
前記サイドバンドフィルタの反射インターフェースは、
前記第２のＰＯＮシステムのＯＬＴにカップラーを介して接続され、
下り方向への、前記第２のＰＯＮシステムのＯＬＴの出力信号とビデオ信号をカップリングした光パルス信号が入力され、
上り方向への、光パルス信号を、前記第２のＰＯＮシステムのＯＬＴに出力する
ように配置されることを特徴とする請求項７に記載の波長分割多重フィルタ。
【請求項９】
波長１２８０ｎｍ以下の光を全部透過し、その他の波長の光を反射する第１のサイドバンドフィルタおよび第２のサイドバンドフィルタと、
波長１５００ｎｍ以下の光を全部透過し、その他の波長の光を全部反射する第３のサイドバンドフィルタと、
波長１６２５ｎｍ以上の光を全部透過し、当該波長未満の光を全部反射する第４のサイドバンドフィルタと、
により構成され、
前記第１のサイドバンドフィルタは、共通インターフェースが前記ＯＤＮの幹線光ファイバーに接続されるインターフェースであり、透過インターフェースが前記第２のサイドバンドフィルタの透過インターフェースに接続され、反射インターフェースが前記第３のサイドバンドフィルタの共通インターフェースに接続され、
前記第２のサイドバンドフィルタは、共通インターフェースが前記第２のＰＯＮシステムのＯＬＴに接続されるインターフェースであり、反射インターフェースが前記第４のサイドバンドフィルタの反射インターフェースに接続され、
前記第３のサイドバンドフィルタは、透過インターフェースが前記第１のＰＯＮシステムのＯＬＴに接続されるインターフェースであり、反射インターフェースが前記第４のサイドバンドフィルタの共通インターフェースに接続され、
前記第４のサイドバンドフィルタは、透過インターフェースが前記ＯＴＤＲに接続されるインターフェースである
ことを特徴とする請求項１に記載の波長分割多重フィルタ。
【請求項１０】
前記第２のサイドバンドフィルタの共通インターフェースは、
前記第２のＰＯＮシステムのＯＬＴにカップラーを介して接続され、
下り方向への、前記第２のＰＯＮシステムのＯＬＴの出力信号とビデオ信号をカップリングした光パルス信号が入力され、
上り方向への、光パルス信号を前記第２のＰＯＮシステムのＯＬＴに出力する
ように配置されることを特徴とする請求項９に記載の波長分割多重フィルタ。
【請求項１１】
前記第１の光パルス信号の波長範囲は、１４８０ｎｍ〜１５００ｎｍ、前記第２の光パルス信号の波長範囲は、１５１０ｎｍ〜１６１５ｎｍを含む
ことを特徴とする請求項１に記載の波長分割多重フィルタ。
【請求項１２】
前記第１の上り波長範囲は、１２９０ｎｍ〜１３６０ｎｍ、前記第２の上り波長範囲は、１２８０ｎｍ以下、前記第３の上り波長範囲は、１６２５ｎｍ以上を含む
ことを特徴とする請求項１に記載の波長分割多重フィルタ。
【請求項１３】
前記第１のＰＯＮシステムおよび前記第２のＰＯＮシステムは、それぞれ
ＧＰＯＮ（Ｇｉｇａｂｉｔ  Ｐａｓｓｉｖｅ  Ｏｐｔｉｃａｌ  Ｎｅｔｗｏｒｋ）およびＸＧＰＯＮ１（１０  Ｇｉｇａｂｉｔ  Ｐａｓｓｉｖｅ  Ｏｐｔｉｃａｌ  Ｎｅｔｗｏｒｋ）、または、
ＥＰＯＮ（Ｅｔｈｅｒｎｅｔ  Ｐａｓｓｉｖｅ  Ｏｐｔｉｃａｌ  Ｎｅｔｗｏｒｋ）および１０ＧＥＰＯＮ（１０  Ｇｉｇａｂｉｔ  Ｅｔｈｅｒｎｅｔ  Ｐａｓｓｉｖｅ  Ｏｐｔｉｃａｌ  Ｎｅｔｗｏｒｋ）である
ことを特徴とする請求項１に記載の波長分割多重フィルタ。
【発明の詳細な説明】
【技術分野】
【０００１】
本発明は、通信分野での受動光ネットワーク（Ｐａｓｓｉｖｅ  Ｏｐｔｉｃａｌ  Ｎｅｔｏｗｒｋ、ＰＯＮ）システム、特に波長分割多重フィルタ（Ｗａｖｅｌｅｎｇｔｈ  Ｄｉｖｉｓｉｏｎ  Ｍｕｌｔｉｐｌｅｘｉｎｇ  Ｆｉｒｓｔ  Ｒｅｖｉｓｉｏｎ、ＷＤＭ１ｒ）に関する。
【背景技術】
【０００２】
現代社会の発展から、人々の生活の多様化と情報交換の普及に伴い、広帯域ネットワークへのアクセスが生活の一部になっている。これにより、広帯域アクセス技術がより広く、より高速になるように求められている。
従来のギガビット受動光ネットワーク（Ｇｉｇａｂｉｔ  Ｐａｓｓｉｖｅ  Ｏｐｔｉｃａｌ  Ｎｅｔｗｏｒｋ、ＧＰＯＮ）では、人々のニーズを満たすことができないため、近い将来、ＧＰＯＮをＸＧＰＯＮ１（１０  Ｇｉｇａｂｉｔ  Ｐａｓｓｉｖｅ  Ｏｐｔｉｃａｌ  Ｎｅｔｗｏｒｋ）にアップグレードする傾向にある。
全てのユーザがすぐにアップグレードするよう求めるわけではないため、ＧＰＯＮとＸＧＰＯＮ１とが１つの光分配ネットワーク（Ｏｐｔｉｃａｌ  Ｄｉｓｔｒｉｂｕｔｉｏｎ  Ｎｅｔｗｏｒｋ、ＯＤＮ）に共存することは、長期間避けられない現実となるに違いない。
【０００３】
また、通信事業者は、多数の受動光ネットワークを配置した後、当該ネットワークの動作とメンテナンス、特に光ファイバー回線の検知および故障位置の決定を考慮する必要がある。
メンテナンスコストを下げるために、通信事業者は、検出を容易にし、サービスを中断せずにリアルタイムの検出を行うように、中央局（Ｃｅｎｔｒａｌ  Ｏｆｆｉｃｅ、ＣＯ）において光時間領域反射測定器（Ｏｐｔｉｃａｌ  Ｔｉｍｅ  Ｄｏｍａｉｎ  Ｒｅｆｌｅｃｔｏｍｅｔｅｒ、ＯＴＤＲ）を用いて受動光ネットワーク全体を検知することを希望している。
【０００４】
従って、ＧＰＯＮとＸＧＰＯＮ１との共存の要求を満たすことができ、ＯＴＤＲインターフェースを有する波長分割多重フィルタが求められる。
【発明の概要】
【発明が解決しようとする課題】
【０００５】
本発明は、異なる受動光ネットワークと光回線検出システムとの共存の要求を満たすことができる波長分割多重フィルタを提供することを技術的課題とする。
【課題を解決するための手段】
【０００６】
本発明は、上述した技術的課題を解決するために、
複数のフィルタを備え、
下り方向には、第１の受動光ネットワーク（ＰＯＮ）システムにより出力された第１の光パルス信号と、第２のＰＯＮシステムにより出力された第２の光パルス信号または第２のＰＯＮシステムの出力信号とビデオ信号をカップリングした第２の光パルス信号と、光時間領域反射測定器（ＯＴＤＲ）からの第３の光パルス信号と、を受信して光分配ネットワーク（ＯＤＮ）にカップリングし、
上り方向には、第１の上り波長範囲の光パルス信号を第１のＰＯＮシステムに、第２の上り波長範囲の光パルス信号を第２のＰＯＮシステムに、第３の上り波長範囲の光信号をＯＴＤＲに送信するように、上り光パルス信号を波長帯に基づいて分岐することにより、
異なるＰＯＮシステムと光回線検出システムの波長分割多重化を実現するように配置される波長分割多重フィルタを提供する。
【０００７】
また、前記第３の光パルス信号の波長は、１６２５ｎｍ以上であり、
前記波長分割多重フィルタは、さらに、前記ＯＤＮから送信された、前記第３の光パルス信号に対する波長１６２５ｎｍ以上の反射信号を、下り方向で受信するように配置される。
【０００８】
また、前記波長分割多重フィルタは、波長１２９０ｎｍ〜１５００ｎｍの光を透過し、他の波長の光を反射する広帯域フィルタと、波長１６２５ｎｍ以上の光を透過し、当該波長未満の光を反射するサイドバンドフィルタと、により構成され、
前記広帯域フィルタは、透過インターフェースが前記第１のＰＯＮシステムの光回線端末（ＯＬＴ）に接続されるインターフェース、共通インターフェースが前記ＯＤＮの幹線光ファイバーに接続されるインターフェース、反射インターフェースが前記サイドバンドフィルタの共通インターフェースに接続されるものであり、
前記サイドバンドフィルタは、反射インターフェースが前記第２のＰＯＮシステムのＯＬＴに接続されるインターフェース、透過インターフェースが前記ＯＴＤＲに接続されるインターフェースである。
【０００９】
また、前記サイドバンドフィルタの反射インターフェースは、
前記第２のＰＯＮシステムのＯＬＴにカップラーを介して接続され、
下り方向への、前記第２のＰＯＮシステムのＯＬＴの出力信号とビデオ信号をカップリングした光パルス信号が入力され、
上り方向への、光パルス信号を、前記第２のＰＯＮシステムのＯＬＴに出力するように配置される。
【００１０】
また、前記波長分割多重フィルタは、波長１２９０ｎｍ〜１３６０ｎｍの光を全部透過させる第１の窓と、波長１４８０ｎｍ〜１５００ｎｍの光を全部透過させ、その他の波長の光の全部を反射する第２の窓とを有する２窓付きファイバーブラッググレーティング（ＦＢＧ）フィルタと、
波長１６２５ｎｍ以上の光を透過し、当該波長未満の光を反射するサイドバンドフィルタと、
により構成され、
前記ＦＢＧフィルタは、透過インターフェースが前記第１のＰＯＮシステムのＯＬＴに接続されるインターフェース、共通インターフェースが前記ＯＤＮの幹線光ファイバーに接続されるインターフェース、反射インターフェースが前記サイドバンドの共通インターフェースに接続されるものであり、
前記サイドバンドフィルタは、反射インターフェースが前記第２のＰＯＮシステムのＯＬＴに接続されるインターフェース、透過インターフェースが前記ＯＴＤＲに接続されるインターフェースである。
【００１１】
また、前記サイドバンドフィルタの反射インターフェースは、
前記第２のＰＯＮシステムのＯＬＴにカップラーを介して接続され、
下り方向への、前記第２のＰＯＮシステムのＯＬＴの出力信号とビデオ信号をカップリングした光パルス信号が入力され、
上り方向への、光パルス信号を、前記第２のＰＯＮシステムのＯＬＴに出力するように配置される。
【００１２】
また、前記波長分割多重フィルタは、波長１２９０ｎｍ〜１３６０ｎｍの光を透過し、その他の波長の光を反射する第１の広帯域フィルタおよび第２の広帯域フィルタと、
波長１４８０ｎｍ〜１５００ｎｍの光を透過し、その他の波長の光を反射する第３の広帯域フィルタと、
１６２５ｎｍ以上の光を透過し、当該波長未満の光を反射するサイドバンドフィルタと、
により構成され、
前記第１の広帯域フィルタは、共通インターフェースが前記ＯＤＮの幹線光ファイバーに接続されるインターフェースであり、透過インターフェースが前記第２の広帯域フィルタの透過インターフェースに接続され、反射インターフェースが前記第３の広帯域フィルタの共通インターフェースに接続され、
前記第２の広帯域フィルタは、共通インターフェースが前記第１のＰＯＮシステムのＯＬＴに接続されるインターフェースであり、反射インターフェースが前記第３の広帯域フィルタの透過インターフェースに接続され、
前記第３の広帯域フィルタは、反射インターフェースが前記サイドバンドフィルタの共通インターフェースに接続され、
前記サイドバンドフィルタは、反射インターフェースが前記第２のＰＯＮシステムのＯＬＴに接続されるインターフェース、透過インターフェースが前記ＯＴＤＲに接続されるインターフェースである。
【００１３】
また、前記サイドバンドフィルタの反射インターフェースは、
前記第２のＰＯＮシステムのＯＬＴにカップラーを介して接続され、
下り方向への、前記第２のＰＯＮシステムのＯＬＴの出力信号とビデオ信号をカップリングした光パルス信号が入力され、
上り方向への、光パルス信号を、前記第２のＰＯＮシステムのＯＬＴに出力するように配置される。
【００１４】
また、前記波長分割多重フィルタは、波長１２８０ｎｍ以下の光を全部透過し、その他の波長の光を反射する第１のサイドバンドフィルタおよび第２のサイドバンドフィルタと、
波長１５００ｎｍ以下の光を全部透過し、その他の波長の光を全部反射する第３のサイドバンドフィルタと、
波長１６２５ｎｍ以上の光を全部透過し、当該波長未満の光を全部反射する第４のサイドバンドフィルタと、
により構成され、
前記第１のサイドバンドフィルタは、共通インターフェースが前記ＯＤＮの幹線光ファイバーに接続されるインターフェースであり、透過インターフェースが前記第２のサイドバンドフィルタの透過インターフェースに接続され、反射インターフェースが前記第３のサイドバンドフィルタの共通インターフェースに接続され、
前記第２のサイドバンドフィルタは、共通インターフェースが前記第２のＰＯＮシステムのＯＬＴに接続されるインターフェースであり、反射インターフェースが前記第４のサイドバンドフィルタの反射インターフェースに接続され、
前記第３のサイドバンドフィルタは、透過インターフェースが前記第１のＰＯＮシステムのＯＬＴに接続されるインターフェースであり、反射インターフェースが前記第４のサイドバンドフィルタの共通インターフェースに接続され、
前記第４のサイドバンドフィルタは、透過インターフェースが前記ＯＴＤＲに接続されるインターフェースである。
【００１５】
また、前記第２のサイドバンドフィルタの共通インターフェースは、
前記第２のＰＯＮシステムのＯＬＴにカップラーを介して接続され、
下り方向への、前記第２のＰＯＮシステムのＯＬＴの出力信号とビデオ信号をカップリングした光パルス信号が入力され、
上り方向への、光パルス信号を、前記第２のＰＯＮシステムのＯＬＴに出力するように配置される。
【００１６】
また、前記第１の光パルス信号の波長範囲は、１４８０ｎｍ〜１５００ｎｍ、前記第２の光パルス信号の波長範囲は、１５１０ｎｍ〜１６１５ｎｍを含む。
【００１７】
また、前記第１の上り波長範囲は、１２９０ｎｍ〜１３６０ｎｍ、前記第２の上り波長範囲は、１２８０ｎｍ以下、前記第３の上り波長範囲は、１６２５ｎｍ以上を含む。
【００１８】
また、前記第１のＰＯＮシステムおよび前記第２のＰＯＮシステムは、それぞれ
ＧＰＯＮ（Ｇｉｇａｂｉｔ  Ｐａｓｓｉｖｅ  Ｏｐｔｉｃａｌ  Ｎｅｔｗｏｒｋ）およびＸＧＰＯＮ１（１０  Ｇｉｇａｂｉｔ  Ｐａｓｓｉｖｅ  Ｏｐｔｉｃａｌ  Ｎｅｔｗｏｒｋ）、または、
ＥＰＯＮ（Ｅｔｈｅｒｎｅｔ  Ｐａｓｓｉｖｅ  Ｏｐｔｉｃａｌ  Ｎｅｔｗｏｒｋ）および１０ＧＥＰＯＮ（１０  Ｇｉｇａｂｉｔ  Ｅｔｈｅｒｎｅｔ  Ｐａｓｓｉｖｅ  Ｏｐｔｉｃａｌ  Ｎｅｔｗｏｒｋ）である。
【発明の効果】
【００１９】
本発明の波長分割多重フィルタ（ＷＤＭ１ｒ）によると、異なる受動光ネットワークと光回線検出システムとの共存が実現され、サービスを中断せずに故障をリアルタイムに検出することができる。これにより、本発明は、通信事業者のメンテナンスコストを大幅に省くことができる。
【図面の簡単な説明】
【００２０】
【図１】ＷＤＭ１ｒの外部インターフェースの構成を示す図である。
【図２】典型的なフィルタの外部インターフェースの構成を示す図である。
【図３】実施例１のＷＤＭ１ｒの内部構成を示す図である。
【図４】実施例２のＷＤＭ１ｒの内部構成を示す図である。
【図５】実施例３のＷＤＭ１ｒの内部構成を示す図である。
【図６】実施例４のＷＤＭ１ｒの内部構成を示す図である。
【発明を実施するための形態】
【００２１】
以下、図面を参照しながら、本発明の詳細な実施例を説明する。
【００２２】
以下の実施例は、ＧＰＯＮとＸＧＰＯＮ１との共存を例として説明する。
【００２３】
ＧＰＯＮとＸＧＯＮ１は波長が異なるため、波長分割多重（ＷＤＭ）による共存は、現実的で実行可能な方法となる。波長分割多重フィルタ（ＷＤＭ１ｒ）は、この方法を実現するための一番肝要な光デバイスである。波長分割多重フィルタの主な機能は、異なる波長の上りの光を、それぞれ対応する異なる光回線端末（ＯＬＴ）に導光すると共に、異なる波長の下りの光を同一のＯＤＮにカップリングすることである。
【００２４】
本発明は、ＧＰＯＮとＸＧＰＯＮ１との共存を実現する波長分割多重フィルタであって、
下り方向には、ＧＰＯＮにより出力された波長１４８０ｎｍ〜１５００ｎｍの第１の光パルス信号と、ＸＧＰＯＮ１により出力された第２の光パルス信号またはＸＧＰＯＮ１の出力信号とビデオ信号をカップリングした波長１５５０ｎｍ〜１５８０ｎｍの第２の光パルス信号と、を受信して光分配ネットワーク（ＯＤＮ）にカップリングすると共に、
上り方向には、波長１２９０ｎｍ〜１３６０ｎｍの上り光パルス信号をＧＰＯＮのＯＬＴに、波長１２６０ｎｍ〜１２８０ｎｍの上り光パルス信号をＸＧＰＯＮ１のＯＬＴに送信するように上り光パルス信号を分岐する
複数のフィルタを備える、波長分割多重フィルタを提供する。
【００２５】
前記波長分割多重フィルタは、さらに、光時間領域反射測定器（ＯＴＤＲ）からの１６２５ｎｍ以上の光パルス信号を受信して受動光ネットワークに送信し、ＯＴＤＲからの光パルス信号の反射信号を受信することが好ましい。
【００２６】
本発明のＷＤＭ１ｒは、図１に示すように、２つ以上のフィルタから構成され、４つのインターフェースを有する受動デバイスである。
インターフェース１は、ＧＰＯＮのＯＬＴインターフェースに接続され、波長１２９０ｎｍ〜１３６０ｎｍの光パルスを上り送信し、波長１４８０ｎｍ〜１５００ｎｍの光パルスを下り送信する。ここで、単位ｎｍは、ナノメートルを示す。
インターフェース２は、ＸＧＰＯＮ１のＯＬＴインターフェースに直接接続されるか、またはＯＬＴの出力信号とビデオ（ｖｉｄｅｏ）信号をカップリングした信号のインターフェースに接続され、波長１２６０ｎｍ〜１２８０ｎｍの光パルスを上り送信し、波長１５５０ｎｍ〜１５８０ｎｍの光パルスを下り送信する。
インターフェース３は、ＯＴＤＲ試験装置に接続され、ＯＴＤＲからの１６２５ｎｍ以上の光パルス信号と、反射されてくるＯＴＤＲ信号である光パルス信号の反射信号とを受信する。
インターフェース４は、ＯＤＮの幹線光ファイバーに接続され、上記インターフェースのすべての信号と波長をＯＤＮの幹線光ファイバーに通す。
【００２７】
インターフェース２は、ＸＧＰＯＮ１のＯＬＴインターフェースに直接接続された場合、具体的には、該インターフェース２の下り入力信号がＸＧＰＯＮ１の出力信号（１５５０ｎｍ〜１５８０ｎｍ）であり、その波長の最大範囲が１５１０ｎｍ〜１６１５ｎｍであってもよい。ＸＧＰＯＮ１のＯＬＴに、１２６０ｎｍ〜１２８０ｎｍの上り方向の出力信号が分岐される。
ビデオ信号が入力される場合、カップラーが追加される。下り方向への、ＸＧＰＯＮ１の出力信号とビデオ信号とが、当該カップラーを介してインターフェース２に入力される。上り方向への、ＯＤＮの上り信号は、波長分割多重フィルタにより、インターフェース１を介してＧＰＯＮのＯＬＴに向かう信号と、カップラーを介せずにインターフェース２を介してＸＧＰＯＮ１のＯＬＴにそのまま向かう信号とに分岐される。
【００２８】
従来のフィルタは、主に２つの技術により製造される。
一方は、一部の波長を透過し、一部の波長を反射できるようにガラス基板に異なる厚さを有する異種材料の薄膜を塗布した薄膜フィルタ（ＴＴＦ：Ｔｈｉｎ  Ｆｉｌｍ  Ｆｉｌｔｅｒ）である。薄膜フィルタとして、ある波長以上を反射又は透過し、当該波長以下を透過又は反射するサイドバンドフィルタと、ある帯域幅の波長のみを透過し、他の波長を反射する広帯域フィルタの２種類が主にある。
ファイバーブラッググレーティング（ＦＢＧ：Ｆｉｂｅｒ  Ｂｒａｇｇ  Ｇｒａｔｉｎｇ）は、他方のフィルタ製造技術を用いるものである。ファイバーブラッググレーティングは、紫外光を、予め設計された回折格子（ｇｒａｔｉｎｇ）テンプレートを介して感光性光ファイバーに照射することにより、感光性光ファイバーの屈折率に回折格子テンプレートに応じた変動が発生し、即ち、回折格子が形成される。これにより、一部の波長を反射し、一部の波長を透過することができ、フィルタリング機能を有する。
しかしながら、いずれの技術により製造されても、最終的に組み立てられたフィルタは、図２に示すように３つの外部インターフェースのみを有する。
図２に示すように、フィルタの一端には、透過光のみを入出射可能なＰ（Ｐａｓｓ、透過）インターフェースと言われる１つのアクセス光ファイバーしかない。他端には、透過光と反射光を入出射可能なＣ（Ｃｏｍｍｏｎ、共通）インターフェースと言われるアクセス光ファイバーと、反射光のみを入出射可能なＲ（Ｒｅｆｌｅｃｔｉｏｎ、反射）インターフェースと言われるアクセス光ファイバーがある。
【００２９】
上述したＷＤＭ１ｒの要求と、従来のＴＦＦ、ＦＢＧフィルタの特性に基づいて、異なる特性を有する複数のフィルタを組み合わせることにより、異なる波長の光が異なるインターフェースを経由するようにし、ＧＰＯＮ、ＸＧＰＯＮ１、ＯＴＤＲの異なる波長の光が、互いに影響や干渉することなく、互いに独立するように単一のＯＤＮに共存するようにする。
以下の４種類のＷＤＭ１ｒの構成によれば、ＧＰＯＮとＸＧＰＯＮ１との共存、ＯＴＤＲの検出要求を確実に満たすことができる。
【００３０】
フィルタのロスは、光の進行方式による。一般には、光が反射された場合、０．３ｄＢ、光が透過した場合、０．５ｄＢである。以下、光リンクロスは、これを基準に算出される。
【００３１】
以下、図面を参照しながら、好適な実施例に基づいて本発明を詳述する。
以下に例示される実施例は、本発明を説明し、解釈するものに過ぎず、本発明を制限するものではない。
【００３２】
以下の表は、常温正常動作条件における送信機の動作波長である中心波長をいくつか例示し、パスロスについて説明する。第１のインターフェースは、上り中心波長が１３１０ｎｍ、下り中心波長が１４９０ｎｍ、第２のインターフェースは、上り中心波長が１２７０ｎｍ、下り中心波長が１５７７ｎｍまたは１５５５ｎｍである。
【００３３】
[実施例１]
ＷＤＭ１ｒは、
波長１２９０ｎｍ〜１５００ｎｍの光の全部を透過し、他の波長の光を反射する広帯域フィルタと、
１６２５ｎｍ以上の光を透過し、当該波長以下の光を反射するサイドバンドフィルタとの２つの薄膜フィルタと、
により構成されている。
広帯域フィルタとサイドバンドフィルタは、図３に示すように接続されており、同図に示す１３１０、１４９０、１２７０、１５５５、１５７７は、中心波長である。
広帯域フィルタは、ＰインターフェースがＧＰＯＮのＯＬＴインターフェース、ＣインターフェースがＯＤＮの入出力インターフェースである。広帯域フィルタのＲインターフェースは、サイドバンドフィルタのＣインターフェースに接続されている。
サイドバンドフィルタは、ＲインターフェースがＸＧＰＯＮ１のＯＬＴインターフェース、ＰインターフェースがＯＴＤＲのインターフェースである。
表１には、異なる波長の進行光路及びそのロスを示す。
【００３４】
【表１】
2013504225.tif 000003
【００３５】
表１において、（１）、（２）…は、光リンクの進行順序を示す。
例えば、表１の１行目に示す光リンクは、波長１２７０ｎｍの光パルスが広帯域フィルタのＣインターフェースからＲインターフェースへ進行して、サイドバンドフィルタのＣインターフェースからＲインターフェースへ進行したものである。
【００３６】
この実施例は、光リンクロスが０．５〜０．８ｄＢであり、全ての実施例のうち、ロスが最も小さいものである。
ただし、広帯域の薄膜フィルタは、製造工程が複雑で難しいため、今では製造コストが高い。
【００３７】
[実施例２]
ＷＤＭ１ｒは、
１２９０ｎｍ〜１３６０ｎｍの光の全部を透過させる窓と、１４８０ｎｍ〜１５００ｎｍの光の全部を透過させ、他の波長の光を反射する窓とを有する２窓付きＦＢＧフィルタと、
実施例１と同様に１６２５ｎｍ以上の光のみを透過し、当該波長以下の光を反射するサイドバンドフィルタと、
により構成されている。
ＦＢＧフィルタとサイドバンドフィルタは、図４に示すように接続されている。
ＦＢＧフィルタは、ＰインターフェースがＧＰＯＮのＯＬＴインターフェース、ＣインターフェースがＯＤＮの入出力インターフェースである。ＦＢＧフィルタのＲインターフェースは、サイドバンドフィルタのＣインターフェースに接続されている。
サイドバンドフィルタは、ＲインターフェースがＸＧＰＯＮ１のＯＬＴインターフェース、ＰインターフェースがＯＴＤＲのインターフェースである。
表２には、異なる波長（の光）の進行する光リンク及びそのロスを示す。
【００３８】
【表２】
2013504225.tif 000004
【００３９】
表２において、（１）、（２）…は、光リンクの進行順序を示す。
【００４０】
この実施例は、光リンクロスが０．５〜０．８ｄＢであり、同様に、全ての実施例のうち、ロスが最も小さいものである。
ただし、本実施例における２種類のフィルタ（特にＦＢＧフィルタ）は、異なる製造工程により製造されるため、製造コストが高い。
【００４１】
[実施例３]
ＷＤＭ１ｒは、
１２９０ｎｍ〜１３６０ｎｍの光の全部を透過し、他の波長の光を反射する第１の広帯域フィルタおよび第２の広帯域フィルタと、
１４８０ｎｍ〜１５００ｎｍの光の全部を透過し、他の波長の光を反射する第３の広帯域フィルタと、
１６２５ｎｍ以上の光を透過し、当該波長以下の光を全部反射するサイドバンドフィルタと、
の４つの薄膜フィルタにより構成されている。
これらのフィルタは、図５に示すように接続されている。
第１の広帯域フィルタは、ＣインターフェースがＯＤＮに出入りする入り口であり、Ｐインターフェースが第２の広帯域フィルタのＰインターフェースに接続され、Ｒインターフェースが第３の広帯域フィルタのＣインターフェースに接続されている。
第２の広帯域フィルタは、ＣインターフェースがＧＰＯＮのＯＬＴインターフェースであり、Ｒインターフェースが第３の広帯域フィルタのＰインターフェースに接続されている。
第３の広帯域フィルタは、ＲインターフェースがサイドバンドフィルタのＣインターフェースに接続されている。
サイドバンドフィルタでの、ＲインターフェースがＸＧＰＯＮ１のＯＬＴインターフェース、ＰインターフェースがＯＴＤＲのインターフェースである。
表３には、異なる波長（の光）の進行する光リンク及びそのロスを示す。
【００４２】
【表３】
2013504225.tif 000005
【００４３】
表３において、（１）、（２）…は、光リンクの進行順序を示す。
【００４４】
この実施例において、光リンクロスが０．９〜１．１ｄＢである。
本実施例のＷＤＭ１ｒは、３種類の薄膜フィルタにより構成されているため、製造コストが少し高い。
【００４５】
[実施例４]
ＷＤＭ１ｒは、図６に示すように、
１２８０ｎｍ以下の光の全部を透過し、他の波長の光を反射する第１のサイドバンドフィルタおよび第２のサイドバンドフィルタと、
１５００ｎｍ以下の光を全部透過し、他の波長の光を反射する第３のサイドバンドフィルタと、１６２５ｎｍ以上の光を透過し、当該波長以下の光を全部反射する第４のサイドバンドフィルタと、
の３種類のサイドバンドフィルタからなる４つの薄膜フィルタにより構成されている。
これらのフィルタは、図６に示すように接続されている。
第１のサイドバンドフィルタは、ＣインターフェースがＯＤＮに出入りする入り口であり、Ｐインターフェースが第２のサイドバンドフィルタのＰインターフェースに接続され、Ｒインターフェースが第３のサイドバンドフィルタのＣインターフェースに接続されている。
第２のサイドバンドフィルタは、ＣインターフェースがＸＧＰＯＮ１のＯＬＴインターフェースであり、Ｒインターフェースが第４のサイドバンドフィルタのＲインターフェースに接続されている。
第３のサイドバンドフィルタは、ＰインターフェースがＧＰＯＮのＯＬＴインターフェースであり、Ｒインターフェースが第４のサイドバンドフィルタのＣインターフェースに接続されている。
第４のサイドバンドフィルタは、ＰインターフェースがＯＴＤＲのインターフェースである。
表４には、異なる波長（の光）の進行する光リンク及びそのロスを示す。
【００４６】
【表４】
2013504225.tif 000006
【００４７】
表４において、（１）、（２）…は、光リンクの進行順序を示す。
【００４８】
この実施例においては、それぞれの波長の光リンクロスが０．８〜１．２ｄＢである。
本実施例に用いるフィルタがいずれもサイドバンドフィルタであるため、製造工程が簡単で、製造コストが低い。
ロスは、他の実施例より少し大きいが、ＷＤＭ１ｒの最大ロスを１．５ｄＢ程度に抑える要求を満たす。
【００４９】
以上のいずれの実施例によっても、波長分割多重フィルタ（ＷＤＭ１ｒ）の全ての機能を満たすことができ、ユーザが、ロス、製造コスト、製造の容易さなどの要素に基づいていずれかの実施例を選択し、その訴求を満たすことができる。
【００５０】
なお、上述した透過する波長範囲は、確保しなければならないものであるが、製造によって、反射が十分でない場合がある。この結果、１００％透過や反射するわけではなく、透過、反射、半透過半反射のいずれも可能である数ｎｍのバッファ領域が、透過と反射との間に存在することがある。
【００５１】
本発明は、ＥＰＯＮと１０ＧＥＰＯＮとの共存にも適用できるが、ここでは説明を省略する。
【００５２】
以上は、本発明の好適な実施例に過ぎず、本発明を限定するものではない。当業者であれば、本発明に様々な変更や変形をもたらすことが可能である。本発明の要旨や原則を逸脱しない如何なる変更、置換、改良などはすべて本発明の保護範囲内に含まれる。
【産業上の利用可能性】
【００５３】
本発明の波長分割多重フィルタ（ＷＤＭ１ｒ）によると、受動光ネットワークと光回線検出システムとの共存が実現され、サービスを中断せずに故障をリアルタイムに検出することができ、通信事業者のメンテナンスコストを大幅に省くことができる。
【図１】
2013504225.tif 000007
【図２】
2013504225.tif 000008
【図３】
2013504225.tif 000009
【図４】
2013504225.tif 000010
【図５】
2013504225.tif 000011
【図６】
2013504225.tif 000012
【国際調査報告】
2013504225.tif 000013
2013504225.tif 000014
2013504225.tif 000015
2013504225.tif 000016
2013504225.tif 000017
2013504225.tif 000018